(57)【要約】【課題】本発明はポリプロピレン素材のショッピングバッグ及びそのショッピングバッグのためのポリプロピレンシート紙に係り、主な目的はポリプロピレン素材の内面に任意の厚さを有したポリプロピレン不織布を付着することによってそのシート紙表面に印刷した絵や装飾図形がさらによく見えることができるシート紙を提供することにあり、また一方にはそのシート紙を用いることによってショッピングバッグ内面の質感を軟らかくしていろいろ内容物を入れるのに適するように配慮することにあり、ひいてはショッピングバッグの商品性と互換性を高めるのに目的がある。【解決手段】ポリプロピレン素材のシート紙３０を準備した後、そのシート紙を任意の大きさ及び形態に裁断して折り畳んで完成する通常のショッピングバッグ２０において、前記したポリプロピレン素材のシート紙３０はその内側面に前記ポリプロピレン素材シート紙と同一な材質の不織布３１を接着する。【選択図】  図２
2004277005.tif 000002
【特許請求の範囲】
【請求項１】
ポリプロピレン素材のシート紙３０を準備した後、そのシート紙を任意の大きさ及び形態に裁断して折り畳んで完成する通常のショッピングバッグ２０において、
前記したポリプロピレン素材のシート紙３０は、その内側面に前記ポリプロピレン素材シート紙と同一な材質の不織布３１を接着してなされたことを特徴とするポリプロピレン素材のショッピングバッグ。
【請求項２】
任意の厚さを有するポリプロピレン素材のシート紙３０と、その裏面に前記シート紙と同一なポリプロピレン素材の不織布３１を接着してなされたことを特徴とするショッピングバッグ製造用ポリプロピレン素材のシート紙。
【請求項３】
任意の厚さを有するポリエチレンテレフタル酸エステル素材のシート紙３０と、その裏面にポリプロピレン素材の不織布３１を接着してなされたことを特徴とするショッピングバッグ製造用ポリプロピレン素材のシート紙。
【発明の詳細な説明】
【０００１】
【発明の属する技術分野】
本発明はポリプロピレン素材のショッピングバッグ及びそのショッピングバッグのためのポリプロピレンシート紙に係り、さらに詳細には難無く広く用いられているポリプロピレン素材のショッピングバッグを構成するが、その内面にポリプロピレン不織布を接着させてポリプロピレンシート紙表面に印刷した絵や装飾図形がさらによく見えることができるようにして、内面の質感を軟らかくして内容物を入れるのに適するようにする特徴がある。
【０００２】
【従来の技術】
一般的にポリプロピレン（ＰＰ：Ｐｏｌｙｐｒｏｐｙｌｅｎｅ）素材を利用したショッピングバッグ１０は、図１に示したように構成される。
【０００３】
すなわち、任意の厚さを有しながらその外側表面に適した絵や装飾図形が印刷されたポリプロピレン素材のシート紙を準備した後、適した形態と寸法で裁断をして、裁断された状態で所望する形態に折畳んだり接着をしてショッピングバッグやかばん形態になるようにする。そしてその開放部側に一対の取っ手１１を付けて、また場合によってはその中央部分にロック手段１２を備えて完成する。
【０００４】
しかしこのような従来のポリプロピレン素材のショッピングバッグ１０は、その裏面に何らの付着物または装飾物がないために次のような未備点がある。
【０００５】
第一は、大部分のポリプロピレン素材シート紙は、商品性を高めるためにその表面に絵や図形を印刷したり、ポリプロピレン素材自体を透明に製造したり有色成分を含めて半透明状態で製造することに、その内面に光が透過されるためにポリプロピレン素材シート紙に表現された絵や図形または有色の装飾部が鮮明に浮刻できない。
【０００６】
第二は、ポリプロピレン素材のショッピングバッグ内面は何らの内皮がないために内容物を入れたとき、その内容物との接触状態が荒くて冷たい質感を有するために用いる選好度が落ちる。
【０００７】
第三に、ポリプロピレン素材のシート紙を適した大きさと形態に切断してショッピングバッグを完成したとき、その切断面が露出されれば比較的鋭いためになるべく切断面が中に入るように折り畳んで作るべきで、切断面が露出されている場合、ショッピングバッグの中に手を入れる時皮膚を傷つける例がある。
【０００８】
その他にポリプロピレン素材のシート紙を利用してノートやダイアリー、アルバム、冊子の表紙を作った場合、透明または半透明状態であるために内側面に別途の内表紙を必須的に作るべきな短所があり、ファイルバインダーや商品ケース、受納式ボックスなどを作った場合、内部が露出されて、内表面に緩衝層がないために内容物保存に不利な問題点がある。
【０００９】
また他の一方に、ポリプロピレン素材の裏面にまた他の材質の繊維材を接着して製造できるが、また他の材質の繊維材はそのポリプロピレン素材を再活用しなければならない時点においてむしろ不利なために幅広く用いるのがむずかしい。
【００１０】
【発明が解決しようとする課題】
したがって本発明は前記のような従来の問題点を解決補完するために案出したものであり、発明の主な目的はポリプロピレン素材のショッピングバッグを製造するが、そのポリプロピレン素材の内面に任意の厚さを有したポリプロピレン不織布を付着することによってポリプロピレンシート紙表面に印刷した絵や装飾図形がさらによく見えることができるようにすることにあり、また他の一方にはショッピングバッグ内面の質感をやわらかくしていろいろ内容物を入れるのに適するように配慮することにあり、ひいてはショッピングバッグの商品性と互換性を高めるのに目的がある。
【００１１】
本発明のさらに他の目的は、前記のようなショッピングバッグを作るためのポリプロピレン不織布が付着されたポリプロピレン素材のシート紙を提供することにあり、同時にポリプロピレン素材と同一な材質の不織布を接着して構成することによって廃棄される製品の再活用効率を一層高めることができるようにすることに目的がある。
【００１２】
【課題を解決するための手段】
前記目的を達成するための本発明の特徴的な手段は、ポリプロピレン素材のシート紙を準備した後、そのシート紙を任意の大きさ及び形態に裁断して折り畳んで完成する通常のショッピングバッグにおいて、前記したポリプロピレン素材のシート紙はその内側面に前記ポリプロピレン素材シート紙と同一な材質の不織布を接着することである。
【００１３】
【発明の実施の形態】
以下、本発明の構成及び作用を添付図面によって詳細に説明する。
【００１４】
図２は、本発明のポリプロピレン素材のシート紙で作ったショッピングバッグ２０を示したものであり、図３は本発明のポリプロピレン素材のシート紙３０を示した断面図である。
【００１５】
前記図３に示したように本発明のシート紙３０は、まず、従来と同一な方法でその表面に紋や図形を印刷したり或いはシート紙自体に有色成分を含めて装飾紋を作る。
【００１６】
そして前記のように製造されたポリプロピレン素材のシート紙３０の裏面にポリプロピレン素材の不織布３１を別途の接着剤で接着させる。
【００１７】
図３の未説明符号３２は、接着剤層である。
【００１８】
このとき、ポリプロピレン素材の不織布３１は、その色相をシート紙３０の色相に似合うように各々いろいろ色相の不織布３１を用いることができる。
【００１９】
そして、これらポリプロピレン素材のシート紙３０と不織布３１を接合するための接合材はポリプロピレン素材を接合することができる一般的な接合材を用いても差し支えなく、熱接着などの手段を利用することもできる。
【００２０】
また、本発明のショッピングバッグ２０は、前記のように製造されたポリプロピレン素材のシート紙３０を用いて適した大きさと形態に切断した後、折畳んで完成するが、前記したポリプロピレン素材の不織布３１層が内側に入るように折り畳んで完成する。
【００２１】
ショッピングバッグとして完成した後には取っ手２１や、スナップボタンなどのロック手段２２を付着してショッピングバッグとしての機能を尽くすことができるようにする。
【００２２】
一方、前記のように製造された本発明のポリプロピレン素材シート紙３０は、図４示したような文具類の表紙４０として有用に用いられることができる。
【００２３】
すなわち、ノート表紙、ファイルバインダー、アルバム紙、ダイアリー、クリアブックなどの表紙４０として用いるが、裏面にポリプロピレン素材の不織布３１が接着されているために透明なポリプロピレン素材の表紙４０であっても、前記不織布３１がその裏面を支えるようになる。
【００２４】
したがってその表紙４０の表面に印刷した図形や、絵や、タイトルなどが非常に効果的に浮き彫りにされることができる。
【００２５】
また一方、前記のように製造された本発明のポリプロピレン素材シート紙３０は、図５に示したような包装体５０としても有用に用いることができる。
【００２６】
すなわち、小型ケースや、受納式ボックス、立体型封套などの素材で用いるようになれば、その裏面にスムーズなポリプロピレン素材の不織布３１が接着されているために表面管理が重要な特定製品などを包装するとしてもその製品に損傷を与えない。
【００２７】
本発明のまた他の実施例の１形態で前記ポリプロピレン素材のシート紙３０の代わりにポリエチレンテレフタル酸エステル（ＰＥＴ：Ｐｏｌｙｅｔｈｙｌｅｎ  Ｔｅｒｅｐｈｔｈａｌａｔｅ）シート紙を素材とすることもできる。
【００２８】
このときも前記ポリエチレンテレフタル酸エステルシート紙の裏面には前記したポリプロピレン素材の不織布３１を接着して前述したポリプロピレンの場合と同一に用いることができる。
【００２９】
【発明の効果】
以上、詳細に説明した本発明のショッピングバッグは、そのポリプロピレン素材シート紙の内面に任意の厚さを有したポリプロピレン不織布を付着したためにポリプロピレンシート紙表面に印刷した絵や装飾図形がさらによく見えることができる長所がある。
【００３０】
また、前記不織布でショッピングバッグ内面の質感が軟らかいために表面に損傷が生じてはならない製品を負担なしに入れられて、その切断された端が不織布によって鋭いことでないために皮膚を傷つける心配がなく、ひいてはショッピングバッグの商品性と互換性が高まる長所がある。
【００３１】
しかも、本発明のポリプロピレン素材シート紙を用いて表紙や包装体を作れば不織布によって曲がったり折れることが予防され、内蔵する製品保護に有利である。
【００３２】
のみならず本発明のポリプロピレン素材シート紙３０は、その裏面に接着された不織布がシート紙と同一な材質の不織布であるために廃棄される製品を収去してリサイクルすることに非常に有利な長所を有することである。
【図面の簡単な説明】
【図１】従来のショッピングバッグを示した斜視図である。
【図２】本発明のショッピングバッグを示した斜視図である。
【図３】本発明のショッピングバッグを製造するためのシート紙の断面図である。
【図４】本発明のまた他の使用状態の例示図である。
【図５】本発明のまた他の使用状態の例示図である。
【符号の説明】
２０  ショッピングバッグ
２１  取っ手
２２  ロック手段
３０  シート紙
３１  不織布
３２  接着層
４０  表紙
５０  包装体
【図１】
2004277005.tif 000003
【図２】
2004277005.tif 000004
【図３】
2004277005.tif 000005
【図４】
2004277005.tif 000006
【図５】
2004277005.tif 000007